(57)【要約】      （修正有）【課題】アイウエアを装着した装着者の眼電位を検出して、検出した眼電位に基づく処理を実行するアイウエアにおいて、処理部及びバッテリ等をアイウエアに搭載する場合に、装着者への負担を軽減できるアイウエアを提供する。【解決手段】一対のテンプル１３０，１４０を有するフレーム１１０と、眼電位を検出する眼電位電極と、一対のテンプル１３０，１４０のうちの一方に設置された、眼電位を処理する処理部と、一対のテンプル１３０，１４０のうちの他方に設置された、処理部に電力を供給する第１バッテリ１４２とを備える。【選択図】図１
2015202196.tif 000002
【特許請求の範囲】
【請求項１】
一対のテンプルを有するフレームと、
眼電位を検出する眼電位電極と、
前記一対のテンプルのうちの一方に設置された、前記眼電位を処理する処理部と、
前記一対のテンプルのうちの他方に設置された、前記処理部に電力を供給する第１バッテリと
を備えるアイウエア。
【請求項２】
前記一対のテンプルのうちの少なくとも一方に設けられたコネクタ
をさらに備え、
前記処理部及び前記第１バッテリのうちの少なくとも一方は、前記コネクタを介して電力を受給する、請求項１に記載のアイウエア。
【請求項３】
前記コネクタに結合された結合部材と、
前記結合部材に設置された、前記処理部及び前記第１バッテリのうちの少なくとも一方に電力を供給する第２バッテリと
をさらに備える請求項２に記載のアイウエア。
【請求項４】
前記結合部材は、前記コネクタと結合することにより、前記アイウエアの装着者に対して前記アイウエアを固定する、請求項３に記載のアイウエア。
【請求項５】
前記一対のテンプルは、前記処理部と前記第１バッテリとを電気的に接続する配線を収容する空洞を有する、請求項１から４のいずれか一項に記載のアイウエア。
【請求項６】
前記フレームは、
一対の丁番と、
前記一対のテンプルの一方の前記空洞内であって、前記一対の丁番の一方と前記処理部との間に配置され、前記処理部に対する前記空洞を介した液体の浸入を防止する第１液体防止部材と、
前記一対のテンプルの他方の前記空洞内であって、前記一対の丁番の他方と前記第１バッテリとの間に配置され、前記第１バッテリに対する前記空洞を介した液体の浸入を防止する第２液体防止部材と、
を有する、請求項５に記載のアイウエア。
【請求項７】
前記フレームに対して着脱可能な、一対のレンズを保持するリム
をさらに備える、請求項１から６のいずれか一項に記載のアイウエア。
【請求項８】
前記フレームは、一対のノーズパッドを有し、
前記眼電位電極は、前記一対のノーズパッドの表面に設置されている、請求項１から７のいずれか一項に記載のアイウエア。
【発明の詳細な説明】
【技術分野】
【０００１】
本発明は、アイウエアに関する。
【背景技術】
【０００２】
アイウエアを装着した装着者の眼電位を検出して、検出した眼電位に基づく処理を実行するアイウエアが知られていた（例えば、特許文献１参照）。
［先行技術文献］
［特許文献］
［特許文献１］特開２０１３−２４４３７０号公報
【発明の概要】
【発明が解決しようとする課題】
【０００３】
処理部及びバッテリ等をアイウエアに搭載する場合に、装着者への負担を軽減できることが望ましい。
【課題を解決するための手段】
【０００４】
本発明の第１の態様によれば、一対のテンプルを有するフレームと、眼電位を検出する眼電位電極と、一対のテンプルのうちの一方に設置された、眼電位を処理する処理部と、一対のテンプルのうちの他方に設置された、処理部に電力を供給する第１バッテリとを備えるアイウエアが提供される。
【０００５】
上記アイウエアは、一対のテンプルのうちの少なくとも一方に設けられたコネクタをさらに備えてよく、処理部及び第１バッテリのうちの少なくとも一方は、コネクタを介して電力を受給してよい。上記アイウエアは、コネクタに結合された結合部材と、結合部材に設置された、処理部及び第１バッテリのうちの少なくとも一方に電力を供給する第２バッテリとをさらに備えてよい。上記アイウエアにおいて、結合部材は、コネクタと結合することにより、アイウエアの装着者に対してアイウエアを固定してよい。
【０００６】
上記アイウエアにおいて、一対のテンプルは、処理部と第１バッテリとを電気的に接続する配線を収容する空洞を有してよい。上記アイウエアにおいて、フレームは、一対の丁番と、一対のテンプルの一方の空洞内であって、一対の丁番の一方と処理部との間に配置され、処理部に対する空洞を介した液体の浸入を防止する第１液体防止部材と、一対のテンプルの他方の空洞内であって、一対の丁番の他方と第１バッテリとの間に配置され、第１バッテリに対する空洞を介した液体の浸入を防止する第２液体防止部材とを有してよい。上記アイウエアは、フレームに対して着脱可能な、一対のレンズを保持するリムをさらに備えてよい。上記アイウエアにおいて、フレームは、一対のノーズパッドを有してよく、眼電位電極は、一対のノーズパッドの表面に設置されてよい。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】メガネの一例を概略的に示す。
【図２】メガネの一例を概略的に示す。
【図３】メガネの一例を概略的に示す。
【図４】左テンプルの一例を概略的に示す。
【図５】右テンプルの一例を概略的に示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１から図３は、メガネ１００の一例を概略的に示す。図１は、メガネ１００の斜視図である。図２は、メガネ１００を背面側からみた部分拡大図である。図３は、メガネ１００の上面図である。メガネ１００は、アイウエアの一例であってよい。本実施形態に係るメガネ１００は、フレーム１１０、レンズ部２００及び結合部材３００を備える。
【００１１】
フレーム１１０は、フロント１２０、左テンプル１３０及び右テンプル１４０を有する。左テンプル１３０及び右テンプル１４０は、一対のテンプルの一例である。フロント１２０は、左テンプル１３０及び右テンプル１４０のそれぞれを一対の丁番１２２のそれぞれによって回転可能に保持する。
【００１２】
フロント１２０は、左ノーズパッド１５２、右ノーズパッド１５４及び眉間電極ユニット１５６を有する。
【００１３】
左ノーズパッド１５２は、フロント１２０に設置された支持部材１５１によって支持される。支持部材１５１は、一端がフロント１２０に設置され、他端が左ノーズパッド１５２を支持する線状の部材であってよい。左ノーズパッド１５２の表面には、左電極１６２が設置される。左電極１６２は、メガネ１００を装着する装着者がメガネ１００を装着したときに、装着者の鼻に当接する。
【００１４】
右ノーズパッド１５４は、フロント１２０に設置された支持部材１５３によって支持される。支持部材１５３は、一端がフロント１２０に設置され、他端が右ノーズパッド１５４を支持する線状の部材であってよい。右ノーズパッド１５４の表面には、右電極１６４が設置される。右電極１６４は、装着者がメガネ１００を装着したときに、装着者の鼻に当接する。
【００１５】
眉間電極ユニット１５６は、メガネ１００を装着する装着者がメガネ１００を装着したときに、装着者の眉間の正面に位置するべく、配置されてよい。眉間電極ユニット１５６の表面には、眉間電極１６６が設置される。眉間電極１６６は、装着者がメガネ１００を装着したときに、装着者の眉間に当接する。
【００１６】
眉間電極ユニット１５６は、眉間電極１６６を前後方向に移動可能に保持してよい。例えば、眉間電極ユニット１５６は、手動によって前後方向に調整可能に眉間電極１６６を保持する。また、眉間電極ユニット１５６は、前後方向に弾性を有するように眉間電極１６６を保持してもよい。このように、眉間電極ユニット１５６が、眉間電極１６６を前後方向に移動可能に保持することによって、眉間電極１６６を装着者の眉間により確実に当接させることができる。また、フレーム１１０から装着者の眉間までの距離の個人差を吸収することができる。
【００１７】
左テンプル１３０は、回路基板１３２、接地電極１３４及びコネクタ１３６を有する。接地電極１３４及びコネクタ１３６は、回路基板１３２に電気的に接続される。接地電極１３４は、左テンプル１３０の下面に配置されてよい。接地電極１３４は、装着者がメガネ１００を装着したときに、装着者の耳の上部に当接する位置に配置されてよい。コネクタ１３６は、左テンプル１３０のいずれかの位置に設けられてよい。例えば、コネクタ１３６は、左テンプル１３０のモダンに設けられる。
【００１８】
右テンプル１４０は、バッテリ１４２、参照電極１４４及びコネクタ１４６を有する。右テンプル１４０におけるバッテリ１４２の配置は、左テンプル１３０における回路基板１３２の配置と同一であってよい。参照電極１４４は、右テンプル１４０の下面に配置されてよい。参照電極１４４は、装着者がメガネ１００を装着したときに、装着者の耳の上部に当接する位置に配置されてよい。コネクタ１４６は、右テンプル１４０のいずれかの位置に設けられてよい。例えば、コネクタ１４６は、右テンプル１４０のモダンに設けられる。
【００１９】
バッテリ１４２は、右テンプル１４０、フロント１２０及び左テンプル１３０を介して回路基板１３２に電気的に接続される。バッテリ１４２は、配線１８８によって、回路基板１３２と電気的に接続される。参照電極１４４は、右テンプル１４０、フロント１２０及び左テンプル１３０を介して回路基板１３２に電気的に接続される。参照電極１４４は、配線１９０によって、回路基板１３２と電気的に接続される。
【００２０】
左電極１６２は、左ノーズパッド１５２、支持部材１５１、フロント１２０及び左テンプル１３０を介して回路基板１３２と電気的に接続される。左電極１６２は、配線１８２によって、回路基板１３２と電気的に接続される。
【００２１】
右電極１６４は、右ノーズパッド１５４、支持部材１５３、フロント１２０及び左テンプル１３０を介して回路基板１３２と電気的に接続される。右電極１６４は、配線１８４によって、回路基板１３２と電気的に接続される。
【００２２】
眉間電極１６６は、眉間電極ユニット１５６、フロント１２０及び左テンプル１３０を介して回路基板１３２と電気的に接続される。眉間電極ユニット１５６は、配線１８６によって、回路基板１３２と電気的に接続される。
【００２３】
レンズ部２００は、リム２０２、左レンズ２０４及び右レンズ２０６を有する。左レンズ２０４及び右レンズ２０６は、一対のレンズの一例である。リム２０２は、左レンズ２０４及び右レンズ２０６を保持する。リム２０２は、フレーム１１０に対して着脱可能であってよい。リム２０２は、フレーム１１０に対して着脱可能であれば、どのような形態でフレーム１１０に設置されてもよい。例えば、フレーム１１０及びレンズ部２００は、互いに嵌合する構造を有する。また、レンズ部２００は、フレーム１１０に対してねじ止めされてもよい。
【００２４】
リム２０２は、装着者がメガネ１００を装着することによって発生するフレーム１１０の変形が左レンズ２０４及び右レンズ２０６に与える影響を低減させることができる形態で、フレーム１１０に設置されてよい。例えば、リム２０２の左レンズ２０４及び右レンズ２０６を保持する部位がフレーム１１０から離間するべく、リム２０２の中心部によって、リム２０２がフレーム１１０に固定される。これにより、装着者がメガネ１００を装着することによってフレーム１１０に発生する変形によって、リム２０２の、左レンズ２０４及び右レンズ２０６を保持する部位、左レンズ２０４並びに右レンズ２０６に加わる圧力を低減させることができる。
【００２５】
リム２０２がフレーム１１０に対して着脱可能であることによって、メガネ１００におけるレンズの交換を容易に行うことができる。例えば、現在のレンズとは度数の異なるレンズに変更したい場合に、現在のレンズを保持するリム２０２をフレーム１１０から取り外して、度数の異なるレンズを保持するリム２０２をフレーム１１０に取り付けることによって、容易に変更できる。
【００２６】
結合部材３００は、コネクタ３０２、コネクタ３０４、バッテリ３０６及びスロット３０８を有する。結合部材３００は、フレーム１１０に対して着脱可能であってよい。結合部材３００は、コネクタ３０２及びコネクタ３０４によって、フレーム１１０に結合される。結合部材３００は、コネクタ３０２及びコネクタ３０４が、コネクタ１３６及びコネクタ１４６と結合することによって、フレーム１１０に結合されてよい。
【００２７】
結合部材３００は、フレーム１１０に対して着脱可能、かつ、固定可能であってよい。例えば、結合部材３００及びフレーム１１０は、一方が爪構造、他方が穴構造を有して、爪構造が穴構造に引っ掛かることによって、互いに固定されてよい。結合部材３００が、コネクタ１３６及びコネクタ１４６に結合されて固定されることにより、装着者に対してメガネ１００が固定されてよい。これにより、左電極１６２、右電極１６４及び眉間電極１６６を、より確実に装着者に当接させることができる。
【００２８】
バッテリ３０６は、回路基板１３２と電気的に接続されてよい。バッテリ３０６は、コネクタ３０２及びコネクタ１３６を介して、回路基板１３２と電気的に接続されてよい。コネクタ３０２及びコネクタ１３６は、例えば、ＵＳＢコネクタである。バッテリ３０６は、回路基板１３２に電力を供給してよい。バッテリ３０６は、第２バッテリの一例であってよい。
【００２９】
バッテリ３０６は、バッテリ１４２と電気的に接続されてよい。バッテリ３０６は、コネクタ３０４及びコネクタ１４６を介して、バッテリ１４２と電気的に接続されてよい。コネクタ３０４及びコネクタ１４６は、例えば、ＵＳＢコネクタである。バッテリ３０６は、バッテリ１４２に電力を供給してよい。バッテリ１４２は、バッテリ３０６から供給された電力によって充電されてよい。
【００３０】
スロット３０８は、記憶媒体を差し込み可能な差込口である。スロット３０８には、ＳＤメモリーカード及びＵＳＢメモリ等が着脱可能であってよい。スロット３０８は、回路基板１３２と電気的に接続されてよい。スロット３０８は、コネクタ３０２及びコネクタ１３６を介して、回路基板１３２と電気的に接続されてよい。回路基板１３２は、スロット３０８に差し込まれた記憶媒体に対してデータを読み書きしてよい。スロット３０８の差込口の方向は、任意の方向であってよい。例えば、スロット３０８の差込口の方向は下方向である。
【００３１】
なお、図１では、フレーム１１０がコネクタ１３６及びコネクタ１４６を有し、結合部材３００がコネクタ３０２及びコネクタ３０４を有する場合を例示しているが、これに限らない。フレーム１１０及び結合部材３００は、コネクタ１３６及びコネクタ３０２と、コネクタ１４６及びコネクタ３０４とのいずれか一方のみを有してもよい。
【００３２】
本実施形態に係る回路基板１３２は、左電極１６２、右電極１６４、眉間電極１６６、接地電極１３４及び参照電極１４４を用いて検出した眼電位を処理してよい。回路基板１３２は、バッテリ１４２から供給される電力を用いて眼電位を処理してよい。左電極１６２は、眼電位電極の一例であってよい。右電極１６４は、眼電位電極の一例であってよい。眉間電極１６６は、眼電位電極の一例であってよい。回路基板１３２は、処理部の一例であってよい。
【００３３】
眼電位を処理するとは、眼電位を加減処理することであってよい。例えば、回路基板１３２は、眉間電極１６６を基準とした左電極１６２の眼電位と、眉間電極１６６を基準とした右電極１６４の眼電位とを加減処理する。また、眼電位を処理するとは、眼電位に対して信号増幅処理をすることであってよい。また、眼電位を処理するとは、眼電位信号をデジタル化処理することであってよい。
【００３４】
また、眼電位を処理するとは、眼電位を送信することであってよい。例えば、回路基板１３２は、眼電位を情報端末４００に送信する。回路基板１３２は、無線通信によって、眼電位を情報端末４００に送信してよい。例えば、回路基板１３２は、Ｂｌｕｅｔｏｏｔｈ（登録商標）及びＷｉ−Ｆｉ（登録商標）等の無線ＬＡＮ等を用いて、眼電位を情報端末４００に送信する。情報端末４００は、スマートフォン等の携帯電話、タブレット端末及びＰＣ（Ｐｅｒｓｏｎａｌ  Ｃｏｍｐｕｔｅｒ）等であってよい。
【００３５】
また、眼電位を処理するとは、眼電位に従って、メガネ１００の装着者の視線を検出すること、瞬きを検出すること及び眠気を検出すること等であってよい。回路基板１３２は、視線の検出結果、瞬きの検出結果及び眠気の検出結果等を情報端末４００に送信してよい。
【００３６】
図４は、左テンプル１３０の一例を概略的に示す。左テンプル１３０は、上述したように、回路基板１３２、接地電極１３４及びコネクタ１３６を有する。また、左テンプル１３０は、配線１８２、１８４、１８６、１８８、１９０を収容する空洞１３８を有する。左テンプル１３０が、空洞１３８を有することによって、配線１８２、１８４、１８６、１８８、１９０の敷設及び交換等を容易に行うことができる。
【００３７】
左テンプル１３０は、空洞１３８内であって、左テンプル１３０を支持する丁番１２２と回路基板１３２との間に配置され、回路基板１３２に対する空洞１３８を介した液体の浸入を防止するパッキン１３９を有する。パッキン１３９は、第１液体防止部材の一例であってよい。左テンプル１３０がパッキン１３９を有することにより、左テンプル１３０をフレーム１１０に対して回転させたときに、空洞１３８に水が浸入して、回路基板１３２に浸水してしまうことを防止できる。
【００３８】
図５は、右テンプル１４０の一例を概略的に示す。右テンプル１４０は、上述したように、バッテリ１４２、参照電極１４４及びコネクタ１４６を有する。また、右テンプル１４０は、配線１８８、１９０を収容する空洞１４８を有する。右テンプル１４０が、空洞１４８を有することによって、配線１８８、１９０の敷設及び交換等を容易に行うことができる。
【００３９】
右テンプル１４０は、空洞１４８内であって、右テンプル１４０を支持する丁番１２２とバッテリ１４２との間に配置され、バッテリ１４２に対する空洞１４８を介した液体の浸入を防止するパッキン１４９を有する。パッキン１４９は、第２液体防止部材の一例であってよい。右テンプル１４０がパッキン１４９を有することにより、右テンプル１４０をフレーム１１０に対して回転させたときに、空洞１４８に水が浸入して、バッテリ１４２に浸水してしまうことを防止できる。
【００４０】
上述したように、本実施形態に係るメガネ１００は、一対のテンプルの一方に設置された、眼電位を処理する回路基板１３２と、一対のテンプルの他方に設置された、回路基板１３２に電力を供給するバッテリ１４２とを備える。このように、回路基板１３２とバッテリ１４２とを一対のテンプルのそれぞれに配置することによって、メガネ１００の左右の重量バランスを均衡させることができる。また、本実施形態に係るメガネ１００において、左テンプル１３０における回路基板１３２の配置と、右テンプル１４０におけるバッテリ１４２の配置が同一であってよい。これにより、さらに厳密に、メガネ１００の左右の重量バランスを均衡させることができる。メガネ１００が普段使いのメガネである場合には特に、装着者はメガネ１００を長時間着用することになる。この場合、重量バランスの不均衡によって、装着者の人体に悪影響を及ぼす可能性が生じるが、本実施形態に係るメガネ１００によれば、左右の重量バランスを均衡させることができるので、装着者への負担を軽減させることができる。
【００４１】
本実施形態では、メガネ１００がフレーム１１０、レンズ部２００及び結合部材３００を備える場合を例に挙げて説明したが、これに限らない。メガネ１００は、結合部材３００を備えなくてもよい。
【００４２】
また、本実施形態では、フレーム１１０が丁番１２２を有して、左テンプル１３０及び右テンプル１４０を回転可能に支持する場合を例に挙げて説明したが、これに限らない。フレーム１１０は、丁番１２２を有さなくてもよい。これにより、メガネ１００の構造を簡略化することができる。
【００４３】
また、本実施形態では、左テンプル１３０が回路基板１３２を有し、右テンプル１４０がバッテリ１４２を有する場合を例に挙げて説明したが、これに限らない。左テンプル１３０がバッテリ１４２を有し、右テンプル１４０が回路基板１３２を有してもよい。
【００４４】
また、本実施形態では、左電極１６２、右電極１６４及び眉間電極１６６と、接地電極１３４及び参照電極１４４とを用いて、眼電位を検出する例を挙げて説明したが、これに限らない。左電極１６２及び右電極１６４と、接地電極１３４及び参照電極１４４とを用いて、眼電位を検出してもよい。また、眼電位を検出できれば、メガネ１００は、図１及び図２に示した電極の配置とは異なる配置の電極を備えてもよい。例えば、接地電極１３４は、装着者の頭部の耳以外の位置に当接するべく配置される。
【００４５】
また、本実施形態では、回路基板１３２が眼電位を処理する例を挙げて説明したが、回路基板１３２は、他の処理を実行してもよい。例えば、回路基板１３２は、加速度を検出してもよい。また、回路基板１３２は、角速度を検出してもよい。なお、メガネ１００は、回路基板１３２の他に、加速度センサ及び角速度センサの少なくともいずれかを備えてもよい。メガネ１００が、回路基板１３２の他に加速度センサ及び角速度センサを備える場合、バッテリ１４２及びバッテリ３０６は、加速度センサ及び角速度センサに電力を供給してよい。
【００４６】
また、本実施形態では、アイウエアの例としてメガネ１００を挙げて説明したが、これに限らない。アイウエアは、サングラス及びヘッドマウントディスプレイ等であってもよい。
【００４７】
図１から図５に示したメガネ１００の各部の形状は例示であり、図示した形状に限らない。
【００４８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４９】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５０】
１００  メガネ、１１０  フレーム、１２０  フロント、１２２  丁番、１３０  左テンプル、１３２  回路基板、１３４  接地電極、１３６  コネクタ、１３８  空洞、１３９  パッキン、１４０  右テンプル、１４２  バッテリ、１４４  参照電極、１４６  コネクタ、１４８  空洞、１４９  パッキン、１５１  支持部材、１５２  左ノーズパッド、１５３  支持部材、１５４  右ノーズパッド、１５６  眉間電極ユニット、１６２  左電極、１６４  右電極、１６６  眉間電極、１８２  配線、１８４  配線、１８６  配線、１８８  配線、１９０  配線、２００  レンズ部、２０２  リム、２０４  左レンズ、２０６  右レンズ、３００  結合部材、３０２  コネクタ、３０４  コネクタ、３０６  バッテリ、３０８  スロット、４００  情報端末
【図１】
2015202196.tif 000003
【図２】
2015202196.tif 000004
【図３】
2015202196.tif 000005
【図４】
2015202196.tif 000006
【図５】
2015202196.tif 000007